【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
ホーム・エージェントを有する通信構成において、ネットワーク・アドレス変換（ＮＡＴ）サーバーと通信可能なモバイル・ホストをサポートする方法であって、
前記ホーム・エージェントにより、前記モバイル・ホスト上のアドレスおよびポートの少なくとも１つからなる前記モバイル・ホストに対するパケット内のデータを、前記ＮＡＴサーバー上のグローバル・アドレスおよびポートのそれぞれに変換するステップと、
変更のために前記ホーム・エージェントから前記パケットを送信し、前記パケットを前記モバイル・ホストに経路指定可能にするステップと、
を含み、
前記パケットが、前記ＮＡＴサーバーと互換性を有する、前記ネットワーク・アドレス変換（ＮＡＴ）サーバーと通信可能なモバイル・ホストをサポートする方法。
【請求項２】
前記変換するステップの前に、前記ホーム・エージェントにより前記ＮＡＴサーバー上で使用される前記グローバル・アドレスを受信するステップを含む、請求項１に記載のネットワーク・アドレス変換（ＮＡＴ）サーバーと通信可能なモバイル・ホストをサポートする方法。
【請求項３】
前記ホーム・エージェントから、前記モバイル・ホスト上で現在開いているポートと前記ＮＡＴサーバー上で使用される異なるポートとの間のマッピングを、受信するステップを含む、請求項１に記載のネットワーク・アドレス変換（ＮＡＴ）サーバーと通信可能なモバイル・ホストをサポートする方法。
【請求項４】
前記モバイル・ホストを前記ホーム・エージェントに登録するための前記モバイル・ホスト上の前記アドレスを含む登録パケットを、前記ホーム・エージェントにより受信するステップを含む、請求項１に記載のネットワーク・アドレス変換（ＮＡＴ）サーバーと通信可能なモバイル・ホストをサポートする方法。
【請求項５】
前記経路指定可能にするステップにより、前記ＮＡＴサーバー上で使用される前記グローバル・アドレスおよび前記ポートの少なくとも１つを変換し、前記モバイル・ホスト上の前記アドレスおよび前記モバイル・ホスト上の前記ポートのそれぞれに戻すためのパケットを送信する、請求項１に記載のネットワーク・アドレス変換（ＮＡＴ）サーバーと通信可能なモバイル・ホストをサポートする方法。
【請求項６】
前記ホーム・エージェントで、どのマッピングによっても前記モバイル・ホスト上に特定されないポートが存在するとき、前記モバイル・ホスト上の当該ポートを含むマッピングの作成を求めるリクエストを前記ホーム・エージェントから送信するステップを含む、請求項１に記載のネットワーク・アドレス変換（ＮＡＴ）サーバーと通信可能なモバイル・ホストをサポートする方法。
【請求項７】
ホーム・エージェントを有する通信構成において、ネットワーク・アドレス変換（ＮＡＴ）サーバーと通信可能なモバイル・ホストをサポートする装置であって、
前記ホーム・エージェントに設けられ、前記モバイル・ホスト上のアドレスおよびポートの少なくとも１つからなる前記モバイル・ホストに対するパケットのデータを、前記ＮＡＴサーバー上のグローバル・アドレスおよびポートのそれぞれに変換する変換器と、
前記ホーム・エージェントに設けられ、変換のために前記パケットを送信し、前記パケットを前記モバイル・ホストに経路指定を可能にする送信機と、
を含む、前記ネットワーク・アドレス変換（ＮＡＴ）サーバーと通信可能なモバイル・ホストをサポートする装置。
【請求項８】
前記ホーム・エージェントに設けられ、前記ＮＡＴサーバー上で使用される前記グローバル・アドレスを受信する受信機を含む、請求項７に記載のネットワーク・アドレス変換（ＮＡＴ）サーバーと通信可能なモバイル・ホストをサポートする装置。
【請求項９】
前記ホーム・エージェントに設けられ、前記モバイル・ホスト上で現在開いているポートと前記ＮＡＴサーバー上で使用されるポートとの間のマッピングを受信する受信機を含む、請求項７に記載のネットワーク・アドレス変換（ＮＡＴ）サーバーと通信可能なモバイル・ホストをサポートする装置。
【請求項１０】
前記ホーム・エージェントに設けられ、前記モバイル・ホストを前記ホーム・エージェントに登録するための前記モバイル・ホスト上の前記アドレスを含む登録パケットを受信する受信機を含む、請求項７に記載のネットワーク・アドレス変換（ＮＡＴ）サーバーと通信可能なモバイル・ホストをサポートする装置。
【請求項１１】
前記ホーム・エージェントに設けられた前記送信機が前記ＮＡＴサーバー上で使用される前記グローバル・アドレスおよび前記ポートの少なくとも１つを変換し、前記モバイル・ホスト上の前記アドレスおよび前記モバイル・ホスト上の前記ポートのそれぞれに戻すためのパケットを送信する、請求項７に記載のネットワーク・アドレス変換（ＮＡＴ）サーバーと通信可能なモバイル・ホストをサポートする装置。
【請求項１２】
前記ホーム・エージェントに設けられた前記送信機が、ホーム・エージェントで、どのマッピングによっても前記モバイル・ホスト上に特定されないポートが存在するとき、前記モバイル・ホスト上の当該ポートを含むマッピングの作成を求めるリクエストを送信し、前記変換器により使用される前記マッピングを受信する受信機を含む、請求項７に記載のネットワーク・アドレス変換（ＮＡＴ）サーバーと通信可能なモバイル・ホストをサポートする装置。
【請求項１３】
ネットワーク・アドレス変換（ＮＡＴ）サーバーがホーム・エージェントを有する通信構成に対応するモバイル・ホストのためにアドレスに関する変換を行うことができるようにする方法であって、
前記ＮＡＴサーバーが、前記モバイル・ホストと通信可能であり、前記ＮＡＴサーバーにより、前記モバイル・ホスト上で使用されるアドレスおよびポートの少なくとも１つを含み、
前記モバイル・ホストのためにアドレスに関する変換を行うことができるようにする方法が、
前記ＮＡＴサーバー上のグローバル・アドレスおよび前記ＮＡＴサーバー上のポートのそれぞれに変換された前記モバイル・ホストにより使用されるパケットを受信するステップと、
前記ＮＡＴサーバー上のグローバル・アドレスおよび前記ＮＡＴサーバー上のポートの少なくとも１つを変更し、前記パケットを前記モバイル・ホストに経路指定可能にするステップと、
を含む、前記モバイル・ホストのためにアドレスに関する変換を行うことができるようにする方法。
【請求項１４】
前記ＮＡＴサーバーから、当該ＮＡＴサーバー上の前記グローバル・アドレスを送信し、前記モバイル・ホスト上で使用される前記アドレスおよび前記ポートの少なくとも１つを、前記ＮＡＴサーバー上の前記グローバル・アドレスおよび前記ポートのそれぞれに変換するステップを含む、請求項１３に記載のモバイル・ホストのためにアドレスに関する変換を行うことができるようにする方法。
【請求項１５】
前記ＮＡＴサーバーから、前記モバイル・ホスト上で使用される現在開いているポートと前記ＮＡＴサーバー上のポートとの間のマッピングを送信するステップを含む、請求項１３に記載のモバイル・ホストのためにアドレスに関する変換を行うことができるようにする方法。
【請求項１６】
前記ＮＡＴサーバーから、前記モバイル・ホストを前記ホーム・エージェントに登録するための前記モバイル・ホスト上の前記アドレスを含む登録パケット送信するステップを含む、請求項１３に記載のモバイル・ホストのためにアドレスに関する変換を行うことができるようにする方法。
【請求項１７】
前記変更ステップが前記ＮＡＴサーバー上の前記グローバル・アドレスおよび前記ポートの少なくとも１つを変換し、前記モバイル・ホスト上の前記アドレスおよび前記ポートのそれぞれに戻すステップを含む、請求項１３に記載のモバイル・ホストのためにアドレスに関する変換を行うことができるようにする方法。
【請求項１８】
前記ホーム・エージェントで、どのマッピングによっても前記モバイル・ホスト上で使用される特定されないポートが存在するとき、前記モバイル・ホスト上の当該ポートを含むマッピングの作成を求めるリクエストを、前記ＮＡＴサーバーにより受信するステップを含む、請求項１３に記載のモバイル・ホストのためにアドレスに関する変換を行うことができるようにする方法。
【請求項１９】
サブネットワーク・ネットワーク・アドレス変換（ＮＡＴ）サーバーがホーム・エージェントに関連付けられたモバイル・ホストのためにアドレスに関する変換を実行できるようにする方法であって、
前記サブネットワークＮＡＴサーバーが、外部ネットワークのサブネットワークに対応し、
前記サブネットワークＮＡＴサーバーが、前記モバイル・ホストと通信可能であり、
前記モバイル・ホストのためにアドレスに関する変換を実行できるようにする方法が、
前記サブネットワークＮＡＴサーバーにより、前記外部ネットワークＮＡＴサーバー上のグローバル・アドレスおよびポートの少なくとも１つを有し、前記サブネットワークＮＡＴサーバー上のローカル・マッピング・アドレスおよび前記サブネットワークＮＡＴサーバー上のポートのそれぞれに変更されるモバイル・ホストと互換性のあるパケットを受信するステップと、
前記サブネットワークＮＡＴサーバーにより、前記サブネットワークＮＡＴサーバー上のローカル・マッピング・アドレスおよびポートの少なくとも１つを含む前記パケットにおけるデータを前記モバイル・ホスト上で使用されるアドレスおよびポートに変換するステップと、
を含む、前記モバイル・ホストのためにアドレスに関する変換を実行できるようにする方法。
【請求項２０】
前記受信ステップの前に、前記サブネットワークＮＡＴサーバーから当該サブネットワークＮＡＴサーバー上の前記ローカル・マッピング・アドレスおよび、前記モバイル・ホスト上で使用される現在開いているポートと前記サブネットワークＮＡＴ上のポートとの間のマッピングを転送するステップを含む、請求項１９に記載のモバイル・ホストのためにアドレスに関する変換を実行できるようにする方法。
【請求項２１】
前記サブネットワークＮＡＴサーバーにより、前記モバイル・ホスト上で使用される前記現在開いているポートと前記サブネットワークＮＡＴサーバー上の異なるポートとの間のマッピングを作成するステップを含む、請求項２０に記載のモバイル・ホストのためにアドレスに関する変換を実行できるようにする方法。
【請求項２２】
前記変換するステップの後、前記サブネットワークＮＡＴサーバーから前記パケットを送信するステップを含む、請求項１９に記載のモバイル・ホストのためにアドレスに関する変換を実行できるようにする方法。
【請求項２３】
ネットワーク・アドレス変換（ＮＡＴ）サーバーがホーム・エージェントを有する通信構成に対応するモバイル・ホストのためにアドレスに関する変換を行うことができるようにするための装置であって、
前記ＮＡＴサーバーに設けられ、前記モバイル・ホストにより使用されるためのアドレスおよびポートの少なくとも１つを含み、前記ＮＡＴサーバー上のグローバル・アドレスおよびポートのそれぞれに変換された前記モバイル・ホストのためのパケットを受信する受信機と、
前記ＮＡＴサーバーに設けられ、前記ＮＡＴサーバー上のグローバル・アドレスおよび前記ＮＡＴサーバー上のポートの少なくとも１つを変換し、前記パケットを前記モバイル・ホストに経路指定可能にする変換器と、
を含む、前記モバイル・ホストのためにアドレスに関する変換を実行できるようにする装置。
【請求項２４】
前記ＮＡＴサーバーに設けられ、前記ＮＡＴサーバーから、当該ＮＡＴサーバー上の前記グローバル・アドレスを送信し、前記モバイル・ホスト上で使用される前記アドレスおよび前記ポートの少なくとも１つを、前記ＮＡＴサーバー上の前記グローバル・アドレスおよび前記ポートのそれぞれに変換する送信機を含む、請求項２３に記載のモバイル・ホストのためにアドレスに関する変換を実行できるようにする装置。
【請求項２５】
前記ＮＡＴサーバーに設けられ、前記モバイル・ホスト上で使用される現在開いているポートと前記ＮＡＴサーバー上の異なるポートとの間のマッピングを送信する送信機を含む、請求項２３に記載のモバイル・ホストのためにアドレスに関する変換を実行できるようにする装置。
【請求項２６】
前記ＮＡＴサーバーに設けられ、前記モバイル・ホストを前記ホーム・エージェントに登録するための前記モバイル・ホスト上の前記アドレスを含む登録パケット送信する送信機を含む、請求項２３に記載のモバイル・ホストのためにアドレスに関する変換を実行できるようにする装置。
【請求項２７】
前記変換器が、前記ＮＡＴサーバー上の前記グローバル・アドレスおよび前記ポートの少なくとも１つを変換して前記モバイル・ホストで使用する前記アドレスおよび前記ポートのそれぞれに戻す、請求項２３に記載のモバイル・ホストのためにアドレスに関する変換を実行できるようにする装置。
【請求項２８】
前記ＮＡＴサーバーに設けられた前記受信機が、前記ホーム・エージェントで、どのマッピングによっても前記モバイル・ホスト上に特定されないポートが存在するとき、前記モバイル・ホスト上の当該ポートを含むマッピングを作成を求めるリクエストを受信可能である、請求項２３に記載のモバイル・ホストのためにアドレスに関する変換を実行できるようにする装置。
【請求項２９】
サブネットワーク・ネットワーク・アドレス変換（ＮＡＴ）サーバーがホーム・エージェントに関連付けられたモバイル・ホストのためにアドレスに関する変換を実行できるようにする装置であって、
前記サブネットワークＮＡＴサーバーが、外部ネットワークのサブネットワークに対応し、
前記外部ネットワークが、外部ネットワークＮＡＴサーバーを有し、
前記サブネットワークＮＡＴサーバーが、前記モバイル・ホストと通信可能であり、
前記モバイル・ホストのためにアドレスに関する変換を実行できるようにする装置が、
前記サブネットワークＮＡＴサーバーに設けられ、前記外部ネットワークＮＡＴサーバー上のグローバル・アドレスおよびポートの少なくとも１つを有し、前記サブネットワークＮＡＴサーバー上で使用されるローカル・マッピング・アドレスおよびポートのそれぞれに変更されたデータからなるパケットを受信する受信機と、
前記サブネットワークＮＡＴサーバーに設けられ、前記サブネットワークＮＡＴサーバー上のローカル・マッピング・アドレスおよびポートの少なくとも１つを含むパケットにおけるデータを前記モバイル・ホスト上のアドレスおよびポートに変換する変換器と、
を含む、前記モバイル・ホストのためにアドレスに関する変換を実行できるようにする装置。
【請求項３０】
前記サブネットワークＮＡＴサーバーに設けられ、前記サブネットワークＮＡＴサーバー上の前記ローカル・マッピング・アドレスおよび、前記モバイル・ホスト上で現在開いているポートと前記サブネットワークＮＡＴ上の異なるポートとの間のマッピングとを送信する送信機を含む、請求項２９に記載のモバイル・ホストのためにアドレスに関する変換を実行できるようにする装置。
【請求項３１】
前記サブネットワークＮＡＴサーバーに設けられ、前記モバイル・ホストにより使用される前記現在開いているポートと前記サブネットワークＮＡＴサーバー上の異なるポートとの間のマッピングを作成するマップ・ジェネレータを含む、請求項３０に記載のモバイル・ホストのためにアドレスに関する変換を実行できるようにする装置。
【請求項３２】
前記サブネットワークＮＡＴサーバーに設けられ、前記パケットを送信する送信機を含む、請求項２９に記載のモバイル・ホストのためにアドレスに関する変換を実行できるようにする装置。